(57)【要約】【課題】 消費電力を低減することが可能な携帯電話機、バックライトの制御方法およびプログラムを提供する。【解決手段】  記憶部１０２は、バックライト１０６の消灯時間帯を特定する時間帯情報と、バックライト１０６の点灯および消灯を制御するための基準照度とを記憶する。照度センサ１０４は周囲の照度を感知する。時計部１０３は現在時間を示す。制御部１０１は、時間帯情報、現在時間、基準照度、および、周囲の照度、に基づいて、バックライト１０６の点灯および消灯を制御する。【選択図】      図１
2006229736.tif 000002
【特許請求の範囲】
【請求項１】
現在時刻を示す時計部と、
周囲の照度を感知する照度センサと、
各種情報を入出力する入出力部と、
前記入出力部を照明するバックライトと、
前記バックライトの消灯時間帯を特定する時間帯情報を記憶する時間帯記憶手段と、
前記バックライトの点灯および消灯を制御するための基準照度を記憶する基準照度記憶手段と、
前記時間帯情報、前記現在時刻、前記基準照度、および、前記周囲の照度、に基づいて、前記バックライトの点灯および消灯を制御する制御手段と、
を備えた携帯電話機。
【請求項２】
請求項１に記載の携帯電話機において、
前記入出力部は、前記携帯電話機のユーザから入力が行われたか否かを検知する入力検知手段、を備え、
前記制御手段は、
前記入力検知手段にて、前記携帯電話機のユーザから入力が行われたと検知された場合、前記時計部から前記現在時刻を取得すると共に、前記時間帯記憶手段にて記憶された前記時間帯情報を取得し、前記現在時刻が前記時間帯情報で特定される消灯時間帯に含まれるか否かを判定する時間帯判定手段と、
前記時間帯判定手段にて、前記現在時刻が前記時間帯情報で特定される前記消灯時間帯に含まれないと判定された場合、前記照度センサにて感知された周囲の照度を取得すると共に、前記基準照度記憶手段にて記憶された前記基準照度を取得し、前記周囲の照度が前記基準照度以上か未満かを判定する基準照度判定手段と、
前記基準照度判定手段にて、前記周囲の照度が前記基準照度未満と判定された場合、前記バックライトを点灯させるバックライト点灯手段と、
を備えた携帯電話機。
【請求項３】
請求項２に記載の携帯電話機において、
前記バックライト点灯手段は、
前記バックライトを点灯させる場合、前記照度センサから取得した周囲の照度に基づいて、前記バックライトの発する光の照度を制御するバックライト照度制御手段、
を備えた携帯電話機。
【請求項４】
請求項１に記載の携帯電話機において、
前記制御手段は、
前記バックライトの点灯後、前記入力検知手段にて、所定の時間以上、前記携帯電話機のユーザから入力が行われたことが検知されなかった場合、前記バックライトを消灯する自動消灯制御手段、
を備えた携帯電話機。
【請求項５】
請求項１に記載の携帯電話機において、
前記入出力部は、
各種情報を表示する表示部と、
前記携帯電話のユーザが前記各種情報を入力する入力部と、
を備え、
前記バックライトは、
前記表示部を照明する表示部バックライトと、
前記入力部を照明する入力部バックライトと、
を備え、
前記時間帯記憶手段は、
前記表示部バックライトの消灯時間帯を特定する表示部時間帯情報を記憶する表示部時間帯記憶手段と、
前記入力部バックライトの消灯時間帯を特定する入力部時間帯情報を記憶する入力部時間帯記憶手段と、
を備え、
前記基準照度記憶手段は、
前記表示部バックライトの点灯および消灯を制御するための表示部基準照度を記憶する表示部基準照度記憶手段と、
前記入力部バックライトの点灯および消灯を制御するための入力部基準照度を記憶する入力部基準照度記憶手段と、
を備え、
前記制御手段は、
前記表示部時間帯情報、前記現在時刻、前記表示部基準照度、および、前記周囲の照度、に基づいて、前記表示部バックライトの点灯および消灯を制御する表示部制御手段と、
前記入力部時間帯情報、前記現在時刻、前記入力部基準照度、および、前記周囲の照度、に基づいて、前記入力部バックライトの点灯および消灯を制御する入力部制御手段と、
を備えた携帯電話機。
【請求項６】
現在時刻を示す時計部と、周囲の照度を感知する照度センサと、各種情報を入出力する入出力部と、前記入出力部を照明するバックライトと、前記バックライトの消灯時間帯を特定する時間帯情報を記憶する時間帯記憶手段と、前記バックライトの点灯および消灯を制御するための基準照度を記憶する基準照度記憶手段と、を備えた携帯電話機が行うバックライトの制御方法であって、
前記時間帯情報、前記現在時刻、前記消灯照度、および、前記周囲の照度、に基づいて、前記バックライトの点灯および消灯を制御する制御ステップ、
を含むバックライトの制御方法。
【請求項７】
請求項６に記載のバックライトの制御方法において、
前記入出力部が前記携帯電話機のユーザから入力が行われたか否かを検知する入力検知ステップ、を含み、
前記制御ステップは、
前記入力検知ステップにて、前記携帯電話機のユーザから入力が行われたと検知された場合、前記時計部から前記現在時刻を取得すると共に、前記時間帯記憶手段にて記憶された前記時間帯情報を取得し、前記現在時刻が前記時間帯情報で特定される消灯時間帯に含まれるか否かを判定する時間帯判定ステップと、
前記時間帯判定ステップにて、前記現在時刻が前記時間帯情報で特定される前記消灯時間帯に含まれないと判定された場合、前記照度センサにて感知された周囲の照度を取得すると共に、前記基準照度記憶手段にて記憶された前記基準照度を取得し、前記周囲の照度が前記基準照度以上か未満かを判定する基準照度判定ステップと、
前記基準照度判定ステップにて、前記周囲の照度が前記基準照度未満と判定された場合、前記バックライトを点灯させるバックライト点灯ステップと、
を含むバックライトの制御方法。
【請求項８】
請求項７に記載のバックライトの制御方法において、
前記バックライト点灯ステップは、
前記バックライトを点灯させる場合、前記照度センサから取得した周囲の照度に基づいて、前記点バックライトの発する光の照度を制御するバックライト照度制御ステップ、
を含むバックライトの制御方法。
【請求項９】
請求項６に記載のバックライトの制御方法において、
前記制御ステップは、
前記バックライトの点灯後、前記入力検知ステップにて、所定の時間以上、前記携帯電話機のユーザから入力が行われたことが検知されなかった場合、前記バックライトを消灯する自動消灯制御ステップ、
を含むバックライトの制御方法。
【請求項１０】
請求項６に記載のバックライトの制御方法において、
前記入出力部は、各種情報を表示する表示部と、前記携帯電話のユーザが前記各種情報を入力する入力部と、を備え、前記バックライトは、前記表示部を照明する表示部バックライトと、前記入力部を照明する入力部バックライトと、を備え、前記時間帯記憶手段は、前記表示部バックライトの消灯時間帯を特定する表示部時間帯情報を記憶する表示部時間帯記憶手段と、前記入力部バックライトの消灯時間帯を特定する入力部時間帯情報を記憶する入力部時間帯記憶手段と、を備え、前記基準照度記憶手段は、前記表示部バックライトの点灯および消灯を制御するための表示部基準照度を記憶する表示部基準照度記憶手段と、前記入力部バックライトの点灯および消灯を制御するための入力部基準照度を記憶する入力部基準照度記憶手段と、を備え、
前記制御ステップは
前記表示部時間帯情報、前記現在時刻、前記表示部基準照度、および、前記周囲の照度、に基づいて、前記表示部バックライトの点灯および消灯を制御する表示部制御ステップと、
前記入力部時間帯情報、前記現在時刻、前記入力部基準照度、および、前記周囲の照度、に基づいて、前記入力部バックライトの点灯および消灯を制御する入力部制御ステップと、
を含むバックライトの制御方法。
【請求項１１】
現在時刻を示す時計部と、周囲の照度を感知する照度センサと、各種情報を入出力する入出力部と、前記入出力部を照明するバックライトと、前記バックライトの消灯時間帯を特定する時間帯情報を記憶する時間帯記憶手段と、前記バックライトの点灯および消灯を制御するための基準照度を記憶する基準照度記憶手段と、に接続されたコンピュータにバックライトの制御処理を実行させるプログラムであって、
前記時間帯情報、前記現在時刻、前記基準照度、および、前記周囲の照度、に基づいて、前記バックライトの点灯および消灯を制御する制御処理と、
を含むバックライトの制御処理を前記コンピュータに実行させるプログラム。
【請求項１２】
請求項１１に記載のプログラムにおいて、
前記携帯電話機のユーザが入力を行ったことを検知する入力検知処理、をさらに含み、
前記制御処理は、
前記入力検知処理にて、前記携帯電話機のユーザが入力を行ったことが検知された場合、前記時計部から前記現在時刻を取得すると共に、前記時間帯記憶手段にて記憶された前記時間帯情報を取得し、前記現在時刻が前記時間帯情報で特定される消灯時間帯に含まれるか否かを判定する時間帯判定処理と、
前記時間帯判定処理にて、前記現在時刻が前記時間帯情報で特定される前記消灯時間帯に含まれないと判定された場合、前記照度センサにて感知された周囲の照度を取得すると共に、前記基準照度記憶手段にて記憶された前記基準照度を取得し、前記周囲の照度が前記基準照度以上か未満かを判定する基準照度判定処理と、
前記基準照度判定処理にて、前記周囲の照度が前記基準照度未満と判定された場合、前記バックライトを点灯させるバックライト点灯処理と、
を含むプログラム。
【請求項１３】
請求項１２に記載のプログラムにおいて、
前記バックライト点灯処理は、
前記バックライトを点灯させる場合、前記照度センサから取得した周囲の照度に基づいて、前記バックライトの発する光の照度を制御するバックライト照度制御処理、
を含むプログラム。
【請求項１４】
請求項１１に記載のプログラムにおいて、
前記制御処理は、
前記バックライトの点灯後、前記入力検知処理にて、所定の時間以上、前記携帯電話機のユーザが入力を行ったことが検知されなかった場合、前記バックライトを消灯する自動消灯制御処理、
を含むプログラム。
【請求項１５】
請求項１１に記載のプログラムにおいて、
前記入出力部は、各種情報を表示する表示部と、前記携帯電話のユーザが前記各種情報を入力する入力部と、を備え、前記バックライトは、前記表示部を照明する表示部バックライトと、前記入力部を照明する入力部バックライトと、を備え、前記時間帯記憶手段は、前記表示部バックライトの消灯時間帯を特定する表示部時間帯情報を記憶する表示部時間帯記憶手段と、前記入力部バックライトの消灯時間帯を特定する入力部時間帯情報を記憶する入力部時間帯記憶手段と、を備え、前記基準照度記憶手段は、前記表示部バックライトの点灯および消灯を制御するための表示部基準照度を記憶する表示部基準照度記憶手段と、前記入力部バックライトの点灯および消灯を制御するための入力部基準照度を記憶する入力部基準照度記憶手段と、を備え、
前記制御処理は
前記表示部時間帯情報、前記現在時刻、前記表示部基準照度、および、前記周囲の照度、に基づいて、前記表示部バックライトの点灯および消灯を制御する表示部制御処理と、
前記入力部時間帯情報、前記現在時刻、前記入力部基準照度、および、前記周囲の照度、に基づいて、前記入力部バックライトの点灯および消灯を制御する入力部制御処理と、
を含むプログラム。
【発明の詳細な説明】
【技術分野】
【０００１】
本発明は、バックライトを備えた携帯電話機、バックライトの制御方法およびプログラムに関する。
【背景技術】
【０００２】
従来、携帯電話機は、携帯電話機のユーザが、各種情報を入出力する入出力部を夜間などの暗闇でも認識できるように、バックライトを備えている。また、バックライトは消費電力が多いため、携帯電話機にはバックライトの制御システムが備わっている。
【０００３】
例えば、特許文献１（特開２０００−３０７６８６号公報）に記載の情報処理装置では、照度センサを用いて、周囲の明るさが、設定した明るさより暗い場合にのみ、バックライトを点灯させることにより、消費電力を下げている。
【特許文献１】特開２０００−３０７６８６号公報
【発明の開示】
【発明が解決しようとする課題】
【０００４】
しかしながら、特許文献１に記載の情報処理装置では、表示部を認識するのに十分な明るさがある状況でも、照度センサが手などで隠されている場合、バックライトが点灯する状況が起こり得る。例えば、この場合、周囲が明るいために、携帯電話機のユーザはバックライトの点灯を認識できず、そのため、照度センサが手などで隠されていることに気づかず、バックライトが点灯し続ける可能性がある。そのため、電力の消費が多くなる状況が起こり得る。
【０００５】
本発明の目的は、消費電力を低減することが可能な携帯電話機、バックライトの制御方法およびプログラムを提供することである。
【課題を解決するための手段】
【０００６】
前記目的を達成するために、本発明の携帯電話機は、現在時刻を示す時計部と、周囲の照度を感知する照度センサと、各種情報を入出力する入出力部と、前記入出力部を照明するバックライトと、前記バックライトの消灯時間帯を特定する時間帯情報を記憶する時間帯記憶手段と、前記バックライトの基準照度を記憶する基準照度記憶手段と、前記時間帯情報、前記現在時刻、前記基準照度、および、前記周囲の照度、に基づいて、前記バックライトの点灯および消灯を制御する制御手段と、を備える。
【０００７】
また、本発明のバックライトの制御方法は、現在時刻を示す時計部と、周囲の照度を感知する照度センサと、各種情報を入出力する入出力部と、前記入出力部を照明するバックライトと、前記バックライトの消灯時間帯を特定する時間帯情報を記憶する時間帯記憶手段と、前記バックライトの基準照度を記憶する基準照度記憶手段と、を備えた携帯電話機が行うバックライトの制御方法であって、前記時間帯情報、前記現在時刻、前記消灯照度、および、前記周囲の照度、に基づいて、前記バックライトの点灯および消灯を制御する制御ステップ、を含む。
【０００８】
前記発明によれば、バックライトの点灯および消灯が、時間帯情報、現在時刻、基準照度、および、周囲の照度、に基づいて制御される。よって、例えば、夜間など暗い時間帯でも、入出力部を認識するのに十分明るい場合（例えば、屋内）、バックライトの点灯を禁止することが可能になる。また、例えば、入出力部を認識するのに十分な明るさがあるのにかかわらず、照度センサが手などで隠され、誤って暗いと判定される場合でも、入出力部を認識するのに十分な明るさのある時間帯ならば、バックライトの点灯を禁止することが可能になる。したがって、バックライトの点灯による消費電力を低減することが可能である。
【０００９】
また、本発明の携帯電話機は、前記入出力部は、前記携帯電話機のユーザから入力が行われたか否かを検知する入力検知手段、を備え、前記制御手段は、前記入力検知手段にて、前記携帯電話機のユーザから入力が行われたと検知された場合、前記時計部から前記現在時刻を取得すると共に、前記時間帯記憶手段にて記憶された前記時間帯情報を取得し、前記現在時刻が前記時間帯情報で特定される消灯時間帯に含まれるか否かを判定する時間帯判定手段と、前記時間帯判定手段にて、前記現在時刻が前記時間帯情報で特定される前記消灯時間帯に含まれないと判定された場合、前記照度センサにて感知された周囲の照度を取得すると共に、前記基準照度記憶手段にて記憶された前記基準照度を取得し、前記周囲の照度が前記基準照度以上か未満かを判定する基準照度判定手段と、前記基準照度判定手段にて、前記周囲の照度が前記基準照度未満と判定された場合、前記バックライトを点灯させるバックライト点灯手段と、を備える。
【００１０】
また、本発明のバックライト制御方法は、前記入出力部が前記携帯電話機のユーザから入力が行われたか否かを検知する入力検知ステップ、を含み、前記制御ステップは、前記入力検知ステップにて、前記携帯電話機のユーザから入力が行われたと検知された場合、前記時計部から前記現在時刻を取得すると共に、前記時間帯記憶手段にて記憶された前記時間帯情報を取得し、前記現在時刻が前記時間帯情報で特定される消灯時間帯に含まれるか否かを判定する時間帯判定ステップと、前記時間帯判定ステップにて、前記現在時刻が前記時間帯情報で特定される前記消灯時間帯に含まれないと判定された場合、前記照度センサにて感知された周囲の照度を取得すると共に、前記基準照度記憶手段にて記憶された前記基準照度を取得し、前記周囲の照度が前記基準照度以上か未満かを判定する基準照度判定ステップと、前記基準照度判定ステップにて、前記周囲の照度が前記基準照度未満と判定された場合、前記バックライトを点灯させるバックライト点灯ステップと、を含む。
【００１１】
前記発明によれば、バックライトの点灯および消灯が、携帯電話機のユーザから入力が行われた時刻に基づいて制御される。よって、例えば、携帯電話機のユーザが携帯電話機を明るい時間帯に使用する場合は、バックライトを消灯するなど、携帯電話機のユーザが携帯電話機を使用する時刻に応じて、バックライトを制御することが可能になる。したがって、バックライトの点灯による消費電力を低減することが可能である。
【００１２】
また、本発明の携帯電話機は、前記バックライト点灯手段は、前記バックライトを点灯させる場合、前記照度センサから取得した周囲の照度に基づいて、前記バックライトの発する光の照度を制御するバックライト照度制御手段、を備えことが望ましい。
【００１３】
また、本発明のバックライト制御方法は、前記バックライト点灯ステップは、前記バックライトが点灯させる場合、前記照度センサから取得した周囲の照度に基づいて、前記点バックライトの発する光の照度を制御するバックライト照度制御ステップ、を含むことが望ましい。
【００１４】
前記発明によれば、周囲の照度によって、入出力部を認識するのに必要以上な照度でバックライト点灯させることを防ぐことが可能になる。したがって、バックライトの点灯による消費電力を低減することが可能である。
【００１５】
また、本発明の携帯電話機は、前記制御手段は、前記バックライトの点灯後、前記入力検知手段にて、所定の時間以上、前記携帯電話機のユーザから入力が行われたことが検知されなかった場合、前記バックライトを消灯する自動消灯制御手段、を備えることが望ましい。
【００１６】
また、本発明のバックライト制御方法は、前記制御ステップは、前記バックライトの点灯後、前記入力検知ステップにて、所定の時間以上、前記携帯電話機のユーザから入力が行われたことが検知されなかった場合、前記バックライトを消灯する自動消灯制御ステップ、を含むことが望ましい。
【００１７】
前記発明によれば、既にバックライトの点灯が必要ない場合、例えば、携帯電話機のユーザが携帯電話機の使用を終えている場合、バックライトが点灯することを防ぐことが可能になる。したがって、バックライトの点灯による消費電力を低減することが可能である。
【００１８】
また、本発明の携帯電話機は、前記入出力部は、各種情報を表示する表示部と、前記携帯電話のユーザが前記各種情報を入力する入力部と、を備え、前記バックライトは、前記表示部を照明する表示部バックライトと、前記入力部を照明する入力部バックライトと、を備え、前記時間帯記憶手段は、前記表示部バックライトの消灯時間帯を特定する表示部時間帯情報を記憶する表示部時間帯記憶手段と、前記入力部バックライトの消灯時間帯を特定する入力部時間帯情報を記憶する入力部時間帯記憶手段と、を備え、前記基準照度記憶手段は、前記表示部バックライトの点灯および消灯を制御するための表示部基準照度を記憶する表示部基準照度記憶手段と、前記入力部バックライトの点灯および消灯を制御するための入力部基準照度を記憶する入力部基準照度記憶手段と、を備え、前記制御手段は、前記表示部時間帯情報、前記現在時刻、前記表示部基準照度、および、前記周囲の照度、に基づいて、前記表示部バックライトの点灯および消灯を制御する表示部制御手段と、前記入力部時間帯情報、前記現在時刻、前記入力部基準照度、および、前記周囲の照度、に基づいて、前記入力部バックライトの点灯および消灯を制御する入力部制御手段と、を備えることが望ましい。
【００１９】
また、本発明のバックライトの制御方法は、前記入出力部は、各種情報を表示する表示部と、前記携帯電話のユーザが前記各種情報を入力する入力部と、を備え、前記バックライトは、前記表示部を照明する表示部バックライトと、前記入力部を照明する入力部バックライトと、を備え、前記時間帯記憶手段は、前記表示部バックライトの消灯時間帯を特定する表示部時間帯情報を記憶する表示部時間帯記憶手段と、前記入力部バックライトの消灯時間帯を特定する入力部時間帯情報を記憶する入力部時間帯記憶手段と、を備え、前記基準照度記憶手段は、前記表示部バックライトの点灯および消灯を制御するための表示部基準照度を記憶する表示部基準照度記憶手段と、前記入力部バックライトの点灯および消灯を制御するための入力部基準照度を記憶する入力部基準照度記憶手段と、を備え、前記制御ステップは前記表示部時間帯情報、前記現在時刻、前記表示部基準照度、および、前記周囲の照度、に基づいて、前記表示部バックライトの点灯および消灯を制御する表示部制御ステップと、前記入力部時間帯情報、前記現在時刻、前記入力部基準照度、および、前記周囲の照度、に基づいて、前記入力部バックライトの点灯および消灯を制御する入力部制御ステップと、を含むことが望ましい。
【００２０】
前記発明によれば、表示部バックライトの点灯および消灯が、表示部時間帯情報、現在時刻、表示部基準照度、および、周囲の照度、に基づいて、制御され、入力部バックライトの点灯および消灯が、入力部時間帯情報、現在時刻、入力部基準照度、および、周囲の照度、に基づいて制御される。よって、例えば、表示部と比較して、少ない照度で認識できる入力部を照明する入力部バックライトを点灯せずに、表示部バックライトのみ点灯するなど、表示部バックライトおよび入力バックライトの点灯を個別に制御することが可能になる。したがって、バックライトの点灯による消費電力を低減することが可能である。
【発明の効果】
【００２１】
本発明によれば、消費電力を低減することが可能な携帯電話機、バックライトの制御方法およびプログラムを提供することが可能である。
【発明を実施するための最良の形態】
【００２２】
以下、本発明の実施例について図面を参照して説明する。
【００２３】
図１は、本実施例の携帯電話機の構成を示したブロック図である。
【００２４】
図１において、携帯電話機は、制御部１０１と記憶部１０２と時計部１０３と照度センサ１０４と入出力部１０５とバックライト１０６とメモリ１０７とを含む。
【００２５】
また、制御部１０１は、時間帯判定部１１０と基準照度判定部１１１とバックライト点灯部１１２と自動消灯部１１３とを含む。
【００２６】
メモリ１０７は、コンピュータにて読み取り可能な記録媒体であり、制御部１０１の動作を規定するプログラムを記憶している。
【００２７】
制御部１０１は、例えば、コンピュータであり、メモリ１０７に記憶されているプログラムを読み取り、読み取られたプログラムを実行し、時間帯判定部１１０と基準照度判定部１１１とバックライト点灯部１１２と自動消灯部１１３とを実現する。
【００２８】
記憶部１０２は、バックライト１０６の消灯時間帯を特定する時間帯情報と、バックライト１０６の点灯および消灯を制御する基準照度と、を記憶する。また、記憶部１０２に記憶するこれらの情報は、携帯電話機のユーザが、入出力部１０５を用いて、入力できることが望ましい。
【００２９】
時間帯情報は、例えば、消灯時間帯、あるいは、点灯時間帯である。点灯時間帯の場合は点灯時間帯でない時間帯が消灯時間帯となる。なお、本実施例では、時間帯情報として、消灯時間帯を用いる。
【００３０】
時計部１０３は、現在時刻を示す。
【００３１】
照度センサ１０４は、携帯電話機の周囲の照度を感知する。
【００３２】
入出力部１０５は、各種情報（例えば、電話番号）を表示し、また、携帯電話機のユーザから各種情報を受け付ける。
【００３３】
入出力部１０５は、携帯電話機のユーザから入力が行われたか否かを検知し、携帯電話機のユーザから入力が行われたと検知した場合、携帯電話機のユーザが入力を行ったことを示す情報を制御部１０１（具体的には、時間帯判定部１１０と自動消灯部１１３と）に出力する。
【００３４】
制御部１０１は、入出力部から携帯電話機のユーザが入力を行ったことを示す情報を受け付けると、携帯電話機のユーザが入力を行ったことを検知する。
【００３５】
制御部１０１は、携帯電話機のユーザが入力を行ったことを検知すると、記憶部１０２から、時間帯情報と基準照度とを取得し、時計部１０３から、現在時刻を取得し、照度センサ１０４から、携帯電話機の周囲の照度を取得する。
【００３６】
制御部１０１は、取得した時間帯情報、基準照度、現在時刻、および、周囲の照度、に基づいて、バックライト１０６の点灯および消灯を制御する。
【００３７】
例えば、制御部１０１は、以下のようにバックライト１０６を制御する。
【００３８】
時間帯判定部１１０は、入出力部１０５から携帯電話機のユーザが入力を行ったことを示す情報を受け付けると、時計部１０３から、現在時刻を取得すると共に、記憶部１０２から、時間帯情報を取得する。
【００３９】
また、時間帯判定部１１０は、時計部１０３から取得した現在時間と、記憶部１０２から取得した時間帯情報と、に基づいて、現在時刻が時間帯情報で特定される消灯時間帯に含まれるか否かを判定する。
【００４０】
現在時刻が時間帯情報で特定される消灯時間帯に含まれる場合、時間帯判定部１１０はバックライト１０６を消灯する。
【００４１】
一方、現在時刻が時間帯情報で特定される消灯時間帯に含まれない場合、時間帯判定部１１０は基準照度判定部１１１に動作命令を出力する。
【００４２】
基準照度判定部１１１は、時間帯判定部１１０から動作命令を受け付けると、照度センサ１０４から、照度センサ１０４にて感知された携帯電話機の周囲の照度を取得すると共に、記憶部１０２から、基準照度を取得する。
【００４３】
また、基準照度判定部１１１は、照度センサ１０４から取得した携帯電話機の周囲の照度と、記憶部１０２から取得した基準照度と、に基づいて、携帯電話機の周囲の照度が基準照度以上か未満かを判定する。
【００４４】
携帯電話機の周囲の照度が基準照度以上の場合、基準照度判定部１１１はバックライト１０６を消灯する。
【００４５】
一方、携帯電話機の周囲の照度が基準照度未満の場合、基準照度判定部１１１はバックライト点灯部１１２に動作命令を出力する。
【００４６】
バックライト点灯部１１２は、基準照度判定部１１１から動作命令を受け付けると、照度センサ１０４から取得した携帯電話機の周囲の照度に基づいて、バックライト１０６の発する光の照度を指定し、指定した照度でバックライト１０６を点灯する。
【００４７】
照度を指定する方法は、例えば、記憶部１０２がバックライト１０６の発する光の照度を指定する照度指定情報をさらに記憶し、バックライト点灯部１１２は、記憶部１０２から照度指定情報を取得し、取得した照度指定情報と携帯電話機の周囲の照度とに基づいて発する光の照度を指定する方法である。
【００４８】
図６は、照度指定情報の構成の一例を示した図である。
【００４９】
図６において、照度指定情報は、携帯電話機の周囲の照度とバックライト１０６の発する光の照度とを関係づけた情報である。例えば、照度センサ１０４にて携帯電話機の周囲の照度が５０ルクスと感知された場合、制御部１０１は、照度指定情報を用いて、バックライト１０６の発する光の照度を７０ルクスと指定し、照度が７０ルクスの光で、バックライト１０６を点灯する。
【００５０】
なお、図６で示した関連付けは単なる一例であって、この関連付けに限定するものではない。
【００５１】
図１に戻る。自動消灯部１０１は、バックライト１０６の点灯後、入出力部１０５から、所定の時間（例えば、１０秒間）以上、携帯電話機のユーザが入力を行ったことを示す情報を受け付けない場合、バックライト１０６を消灯する。
【００５２】
図２は、各種情報を表示する表示部を照明する表示部バックライトと、携帯電話機のユーザから各種情報を受け付ける入力部を照明する入力部バックライトと、を個別に備えた場合における、携帯電話機の構成を示したブロック図である。
【００５３】
図２において、携帯電話機は制御部１０１と記憶部１０２と時計部１０３と照度センサ１０４とメモリ１０７と表示部バックライト２０１と入力部バックライト２０２と表示部２０３と入力部２０４とを含む。
【００５４】
また、制御部１０１は、表示部制御部２１０と入力部制御部２１１とを含む。
【００５５】
メモリ１０７は、コンピュータにて読み取り可能な記録媒体であり、制御部１０１の動作を規定するプログラムを記憶している。
【００５６】
制御部１０１は、例えば、コンピュータであり、メモリ１０７に記憶されているプログラムを読み取り、読み取られたプログラムを実行し、表示部制御部２１０と入力部制御部２１１とを実現する。
【００５７】
記憶部１０２は、表示部バックライト２０１の消灯時間帯を特定する表示部時間帯情報、表示部バックライト２０１の点灯および消灯を制御するための表示部基準照度、入力部バックライト２０２の消灯時間帯を特定する入力部時間帯情報、および、入力部バックライト２０２の点灯および消灯を制御するための入力部基準照度、を記憶する。
【００５８】
時計部１０３は、現在時刻を示す。
【００５９】
照度センサ１０４は、携帯電話機の周囲の照度を感知する。
【００６０】
表示部２０３は、各種情報（例えば、電話番号）を表示する。
【００６１】
入力部２０４は、携帯電話機のユーザから各種情報を受け付ける。
【００６２】
入力部２０４は、携帯電話機のユーザから入力が行われたか否かを検知し、携帯電話機のユーザから入力が行われたと検知した場合、携帯電話機のユーザが入力を行ったことを示す情報を表示部制御部２１０および入力部制御部２１１に出力する。
【００６３】
表示部制御部２１０および入力部制御部２１１は、入力部２０４から携帯電話機のユーザが入力を行ったことを示す情報を受け付けると、携帯電話機のユーザが入力を行ったことを検知する。
【００６４】
表示部制御部２１０は、携帯電話機のユーザが入力を行ったことを検知すると、記憶部１０２から、表示部時間帯情報と表示部基準照度とを取得し、時計部１０３から、現在時刻を取得し、照度センサ１０４から、携帯電話機の周囲の照度を取得する。
【００６５】
入力部制御部２１１は、携帯電話機のユーザが入力を行ったことを検知すると、記憶部１０２から、入力部時間帯情報と入力部基準照度とを取得し、時計部１０３から、現在時刻を取得し、照度センサ１０４から、携帯電話機の周囲の照度を取得する。
【００６６】
表示部制御部２１０は、取得した表示部時間帯情報、表示部基準照度、現在時刻、および、周囲の照度、に基づいて、表示部バックライト２０１の点灯および消灯を制御する。
【００６７】
入力部制御部２１０は、取得した入力部時間帯情報、入力部基準照度、現在時刻、および、周囲の照度、に基づいて、入力部バックライト２０２の点灯および消灯を制御する。
【００６８】
例えば、表示部制御部２１０は、以下のように表示部バックライト２０２を制御する。
【００６９】
表示部制御部２１０は、携帯電話機のユーザが入力を行ったことを検知すると、時計部１０３から、現在時刻を取得すると共に、記憶部１０２から、表示部時間帯情報を取得する。
【００７０】
また、表示部制御部２１０は、時計部１０３から取得した現在時間と、記憶部１０２から取得した表示部時間帯情報と、に基づいて、現在時刻が表示部時間帯情報で特定される消灯時間帯に含まれるか否かを判定する。
【００７１】
現在時刻が表示部時間帯情報で特定される消灯時間帯に含まれる場合、表示部制御部２１０は表示部バックライト２０１を消灯する。
【００７２】
一方、現在時刻が表示部時間帯情報で特定される消灯時間帯に含まれない場合、表示部制御部２１０は、照度センサ１０４から、照度センサ１０４にて感知された携帯電話機の周囲の照度を取得すると共に、記憶部１０２から、表示部基準照度を取得する。
【００７３】
また、表示部制御部２１０は、照度センサ１０４から取得した携帯電話機の周囲の照度と、記憶部１０２から取得した表示部基準照度と、に基づいて、携帯電話機の周囲の照度が表示部基準照度以上か未満かを判定する。
【００７４】
携帯電話機の周囲の照度が表示部基準照度以上の場合、表示部制御部２１０は表示部バックライト２０１を消灯する。
【００７５】
一方、携帯電話機の周囲の照度が表示部基準照度未満の場合、表示部制御部２１０は、照度センサ１０４から取得した携帯電話機の周囲の照度に基づいて、表示部バックライト２０２の発する光の照度を指定し、指定した照度で表示部バックライト２０１を点灯する。
【００７６】
また、例えば、入力部制御部２１１は、以下のように入力部バックライト２０２を制御する。
【００７７】
入力部制御部２１１は、携帯電話機のユーザが入力を行ったことを検知すると、時計部１０３から、現在時刻を取得すると共に、記憶部１０２から、入力部時間帯情報を取得する。
【００７８】
また、入力部制御部２１１は、記憶部１０２から取得した入力部時間帯情報と、時計部１０３から取得した現在時間と、に基づいて、現在時刻が入力部時間帯情報で特定される消灯時間帯に含まれるか否かを判定する。
【００７９】
現在時刻が入力部時間帯情報で特定される消灯時間帯に含まれる場合、入力部制御部２１１は、入力部バックライト２０２を消灯する。
【００８０】
一方、現在時刻が入力部時間帯情報で特定される消灯時間帯に含まれない場合、入力部制御部２１１は、照度センサ１０４から、照度センサ１０４にて感知された携帯電話機の周囲の照度を取得すると共に、記憶部１０２から、入力部基準照度を取得する。
【００８１】
また、入力部制御部２１１は、照度センサ１０４から取得した携帯電話機の周囲の照度と、記憶部１０２から取得した入力部基準照度と、に基づいて、携帯電話機の周囲の照度が入力部基準照度以上か未満かを判定する。
【００８２】
携帯電話機の周囲の照度が入力部基準照度以上の場合、入力部制御部２１１は入力部バックライト２０２を消灯する。
【００８３】
一方、携帯電話機の周囲の照度が入力部基準照度未満の場合、入力部制御部２１１は、照度センサ１０４から取得した携帯電話機の周囲の照度に基づいて、入力部バックライト２０２の発する光の照度を指定し、指定した照度で入力部バックライト２０２を点灯する。
【００８４】
図３は、本実施例の動作を示したフローチャートである。具体的には、図１で構成を示した携帯電話機におけるバックライトの制御動作を示したフローチャートである。
【００８５】
ステップ３０１では、入出力部１０５が、携帯電話機のユーザから各種情報（例えば、電話番号）が入力されるのを待機する。その後、ステップ３０２が実行される。
【００８６】
ステップ３０２では、入出力部１０５が、携帯電話機のユーザから入力が行われたか否かを検知する。
【００８７】
携帯電話機のユーザから入力が行われたと検知した場合、入出力部１０５が、携帯電話機のユーザが入力を行ったこと示す情報を時間帯判定部１１０と自動消灯部１１３に出力し、その後、ステップ３０７が実行され、一方、携帯電話機のユーザから入力が行われていないと検知した場合、ステップ３０３が実行される。
【００８８】
ステップ３０３では、自動消灯部１１３が、バックライト１０６が消灯しているか否かの判定を行う。
【００８９】
バックライト１０６が消灯している場合、ステップ３０４が実行され、一方、バックライト１０６が消灯していない場合、ステップ３０５が実行される。
【００９０】
ステップ３０４では、自動消灯部１１３が、バックライト１０６を消灯する。
【００９１】
ステップ３０５では、自動消灯部１１３が、入出力部１０５から、携帯電話機のユーザが入力を行ったこと示す情報を、最後に受け付けてから、所定の時間（例えば、１０秒間）以上経過しているか否かを判定する。
【００９２】
入出力部１０５から、携帯電話機のユーザが入力を行ったことを示す情報を、最後に受け付けてから、所定の時間以上経過している場合、ステップ３０６が実行され、一方、携帯電話機のユーザが入力を行ったことを示す情報を、最後に受け付けてから、所定の時間以上経過していない場合、ステップ３０２が実行される。
【００９３】
ステップ３０６では、自動消灯部１１３が、バックライト１０６を消灯する。
【００９４】
ステップ３０７では、時間帯判定部１１０が、時計部１０３から、現在時刻を取得すると共に、記憶部１０２から、時間帯情報を取得する。
【００９５】
時間帯判定部１１０が、時計部１０３から取得した現在時刻と、記憶部１０２から取得した時間帯情報と、に基づいて、現在時刻が時間帯情報で特定される消灯時間帯に含まれるか否かを判定する。
【００９６】
現在時刻が時間帯情報で特定される消灯時間帯に含まれる場合、ステップ３０８が実行され、一方、現在時刻が時間帯情報で特定される消灯時間帯に含まれない場合、時間帯判定部１１０は基準照度判定部１１１に動作命令を出力し、その後、ステップ３０９が実行される。
【００９７】
ステップ３０８では、時間帯判定部１１０は、バックライト１０６を消灯する。
【００９８】
ステップ３０９では、基準照度判定部１１１が、時間帯判定部１１０から動作命令を受け付け、照度センサ１０４から、携帯電話機の周囲の照度を取得すると共に、記憶部１０２から、基準照度を取得する。
【００９９】
基準照度判定部１１１は、照度センサ１０４から取得した携帯電話機の周囲の照度と、記憶部１０２から取得した基準照度と、に基づいて、携帯電話機の周囲の照度が基準照度以上か否かを判定する。
【０１００】
携帯電話機の周囲の照度が基準照度以上の場合、ステップ３１０が実行され、一方、携帯電話機の周囲の照度が基準照度以上でない場合、基準照度判定部１１１はバックライト点灯部１１２に動作命令を出力し、その後、ステップ３１１が実行される。
【０１０１】
ステップ３１０では、基準照度判定部１１１が、バックライト１０６を消灯する。
【０１０２】
ステップ３１１では、バックライト点灯部１１２が、基準照度判定部１１１から動作命令を受け付け、照度センサ１０４から取得した周囲の照度に基づいて、バックライト１０６の発する光の照度を指定し、指定した照度でバックライト１０６を点灯させる。その後、ステップ３０２が実行される。
【０１０３】
図４、および、図５は、図２で構成を示した携帯電話機におけるバックライトの制御動作を示したフローチャートである。具体的には、図４は表示部バックライト２０１の制御動作を示したフローチャートであり、図５は入力部バックライト２０２の制御動作を示したフローチャートである。
【０１０４】
先ず、図４を用いて、表示部バックライト２０１の制御動作を説明する。
【０１０５】
図４において、ステップ４０１では、入力部２０４が、携帯電話機のユーザから各種情報（例えば、電話番号）が入力されるのを待機する。その後、ステップ４０２が実行される。
【０１０６】
ステップ４０２では、入力部２０４が、携帯電話機のユーザから入力が行われたか否かを検知する。
【０１０７】
携帯電話機のユーザから入力が行われたと検知した場合、入力部２０４が、携帯電話機のユーザが入力を行ったことを示す情報を表示部制御部２１０に出力し、その後、ステップ４０７が実行され、一方、携帯電話機のユーザから入力が行われていないと検知した場合、ステップ４０３が実行される。
【０１０８】
ステップ４０３では、表示部制御部２１０が、表示部バックライト２０１が消灯しているか否かの判定を行う。
【０１０９】
表示部バックライト２０１が消灯している場合、ステップ４０４が実行され、一方、表示部バックライト２０１が消灯していない場合、ステップ４０５が実行される。
【０１１０】
ステップ４０４では、表示部制御部２１０が、表示部バックライト２０１を消灯する。
【０１１１】
ステップ４０５では、表示部制御部２１０が、入力部２０４から、携帯電話機のユーザが入力を行ったこと示す情報を、最後に受け付けてから、所定の時間（例えば、１０秒間）以上経過しているか否かを判定する。
【０１１２】
入力部２０４から、携帯電話機のユーザが入力を行ったことを示す情報を最後に受け付けてから、所定の時間以上経過している場合、ステップ４０６が実行され、一方、携帯電話機のユーザが入力を行ったことを示す情報を最後に受け付けてから、所定の時間以上経過していない場合、ステップ４０２が実行される。
【０１１３】
ステップ４０６では、表示部制御部２１０が、表示部バックライト２０１を消灯する。
【０１１４】
ステップ４０７では、表示部制御部２１０が、時計部１０３から、現在時刻を取得すると共に、記憶部１０２から、表示部時間帯情報を取得する。
【０１１５】
表示部制御部２１０が、時計部１０３から取得した現在時刻と、記憶部１０２から取得した表示部時間帯情報と、に基づいて、現在時刻が表示部時間帯情報で特定される消灯時間帯に含まれるか否かを判定する。
【０１１６】
現在時刻が表示部時間帯情報で特定される消灯時間帯に含まれる場合、ステップ４０８が実行され、一方、現在時刻が表示部時間帯情報で特定される消灯時間帯に含まれない場合、ステップ４０９が実行される。
【０１１７】
ステップ４０８では、表示部制御部２１０は、表示部バックライト２０１を消灯する。
【０１１８】
ステップ４０９では、表示部制御部２１０が、照度センサ１０４から、携帯電話機の周囲の照度を取得すると共に、記憶部１０２から、表示部基準照度を取得する。
【０１１９】
表示部制御部２１０は、照度センサ１０４から取得した携帯電話機の周囲の照度と、記憶部１０２から取得した表示部基準照度と、に基づいて、携帯電話機の周囲の照度が表示部基準照度以上か否かを判定する。
【０１２０】
周囲の照度が表示部基準照度以上の場合、ステップ４１０が実行され、一方、周囲の照度が表示部基準照度以上でない場合、ステップ４１１が実行される。
【０１２１】
ステップ４１０では、表示部制御部２１０が、表示部バックライト２０１を消灯する。
【０１２２】
ステップ４１１では、表示部制御部２１０が、照度センサ１０４から取得した周囲の照度に基づいて、表示部バックライト２０１の発する光の照度を指定し、指定した照度で表示部バックライト２０１を点灯させる。その後、ステップ４０２が実行される。
【０１２３】
次に、図５を用いて、入力部バックライト２０２の制御動作を説明する。
【０１２４】
図５において、ステップ５０１では、入力部２０４が、携帯電話機のユーザから各種情報（例えば、電話番号）が入力されるのを待機する。その後、ステップ５０２が実行される。
【０１２５】
ステップ５０２では、入力部２０４が、携帯電話機のユーザから入力が行われたか否かを検知する。
【０１２６】
携帯電話機のユーザから入力が行われたと検知した場合、入力部２０４が、携帯電話機のユーザが入力を行ったことを示す情報を入力部制御部２１１に出力し、その後、ステップ５０７が実行され、一方、携帯電話機のユーザから入力が行われていないと検知した場合、ステップ５０３が実行される。
【０１２７】
ステップ５０３では、入力部制御部２１１が、入力部バックライト２０２が消灯しているか否かの判定を行う。
【０１２８】
入力部バックライト２０２が消灯している場合、ステップ５０４が実行され、一方、入力部バックライト２０２が消灯していない場合、ステップ５０５が実行される。
【０１２９】
ステップ５０４では、入力部制御部２１１が、入力部バックライト２０２を消灯する。
【０１３０】
ステップ５０５では、入力部制御部２１１が、入力部２０４から、携帯電話機のユーザが入力を行ったこと示す情報を、最後に受け付けてから、所定の時間（例えば、１０秒間）以上経過しているか否かを判定する。
【０１３１】
入力部２０４から、携帯電話機のユーザが入力を行ったことを示す情報を最後に受け付けてから、所定の時間以上経過している場合、ステップ５０６が実行され、一方、携帯電話機のユーザが入力を行ったことを示す情報を最後に受け付けてから、所定の時間以上経過していない場合、ステップ５０２が実行される。
【０１３２】
ステップ５０６では、入力部制御部２１１が、入力部バックライト２０２を消灯する。
【０１３３】
ステップ５０７では、入力部制御部２１１が、時計部１０３から、現在時刻を取得すると共に、記憶部１０２から、入力部時間帯情報を取得する。
【０１３４】
入力部制御部２１１が、時計部１０３から取得した現在時刻と、記憶部１０２から取得した入力部時間帯情報と、に基づいて、現在時刻が入力部時間帯情報で特定される消灯時間帯に含まれるか否かを判定する。
【０１３５】
現在時刻が入力部時間帯情報で特定される消灯時間帯に含まれる場合、ステップ５０８が実行され、一方、現在時刻が入力部時間帯情報で特定される消灯時間帯に含まれない場合、ステップ５０９が実行される。
【０１３６】
ステップ５０８では、入力部制御部２１１は、入力部バックライト２０２を消灯する。
【０１３７】
ステップ５０９では、入力部制御部２１１が、照度センサ１０４から、携帯電話機の周囲の照度を取得すると共に、記憶部１０２から、入力部基準照度を取得する。
【０１３８】
入力部制御部２１１は、照度センサ１０４から取得した携帯電話機の周囲の照度と、記憶部１０２から取得した入力部基準照度と、に基づいて、携帯電話機の周囲の照度が入力部基準照度以上か否かを判定する。
【０１３９】
周囲の照度が入力部基準照度以上の場合、ステップ５１０が実行され、一方、周囲の照度が入力部基準照度未満の場合、ステップ５１１が実行される。
【０１４０】
ステップ５１０では、入力部制御部２１１が、入力部バックライト２０２を消灯する。
【０１４１】
ステップ５１１では、入力部制御部２１１が、照度センサ１０４から取得した周囲の照度に基づいて、入力部バックライト２０２の発する光の照度を指定し、指定した照度で入力部バックライト２０２を点灯させる。その後、ステップ５０２が実行される。
【０１４２】
本実施例によれば、現在時刻を示す時計部１０３と、周囲の照度を感知する照度センサ１０４と、各種情報を入出力する入出力部１０５と、入出力部を照明するバックライト１０６と、バックライト１０６の消灯時間帯を特定する時間帯情報とバックライトの点灯および消灯を制御するための基準照度とを記憶する記憶部１０２と、時間帯情報、現在時刻、基準照度、および、周囲の照度、に基づいて、バックライト１０６の点灯および消灯を制御する制御部を備える。
【０１４３】
これにより、バックライトの点灯および消灯が、時間帯情報、現在時刻、基準照度、および、周囲の照度、に基づいて制御される。よって、例えば、夜間など暗い時間帯でも、入出力部を認識するのに十分明るい場合（例えば、屋内）、バックライトの点灯を禁止することが可能になる。また、例えば、入出力部を認識するのに十分な明るさがあるのにかかわらず、照度センサが手などで隠され、誤って暗いと判定される場合でも、入出力部を認識するのに十分な明るさのある時間帯ならば、バックライトの点灯を禁止することが可能になる。したがって、バックライトの点灯による消費電力を低減することが可能である。
【０１４４】
また、本実施例によれば、入出力部１０５は、携帯電話機のユーザから入力が行われたか否かを検知する。
【０１４５】
時間帯判定部１１０は、入出力部１０５にて、携帯電話機のユーザから入力が行われたと検知した場合、時計部１０３から現在時刻を取得すると共に、記憶部１０２から時間帯情報を取得し、現在時刻が時間帯情報で特定される消灯時間帯に含まれるか否かを判定する。 基準照度判定部１１１は、時間帯判定部１１０にて、現在時刻が時間帯情報で特定される消灯時間帯に含まれないと判定された場合、照度センサ１０４にて感知された周囲の照度を取得すると共に、記憶部１０２にて記憶された基準照度を取得し、周囲の照度が基準照度以上か未満かを判定する。
【０１４６】
バックライト点灯部は、基準照度判定部１１１にて、周囲の照度が基準照度未満と判定された場合、バックライト１０６を点灯させる。
【０１４７】
これにより、バックライトの点灯および消灯が、携帯電話機のユーザが入力を行った時刻に基づいて制御される。よって、例えば、携帯電話機のユーザが携帯電話機を明るい時間帯に使用する場合は、バックライトを消灯するなど、携帯電話機のユーザが携帯電話機を使用する時刻に応じて、バックライトを制御することが可能になる。したがって、バックライトの点灯による消費電力を低減することが可能である。
【０１４８】
また、本実施例によれば、制御部１０２は、照度センサ１０４から取得した周囲の照度に基づいて、バックライト１０６の発する照度を指定し、指定された照度でバックライトを点灯させる。
【０１４９】
これにより、周囲の照度によって、入出力部を認識するのに必要以上な照度でバックライト点灯させることを防ぐことが可能になる。したがって、バックライトの点灯による消費電力を低減することが可能である。
【０１５０】
また、本実施例によれば、制御部１０１は、バックライト１０６の点灯後、所定の時間以上、入出力部１０５から携帯電話機のユーザが入力を行ったことを示す情報を、受け付けなかった場合、バックライト１０７を消灯する。
【０１５１】
これにより、既にバックライトの点灯が必要ない場合、例えば、携帯電話機のユーザが携帯電話機の使用を終えている場合、バックライトが点灯することを防ぐことが可能になる。したがって、バックライトの点灯による消費電力を低減することが可能である。
【０１５２】
また、本実施例によれば、表示部２０３は、各種情報を表示し、入力部２０４は、各種情報を携帯電話機にユーザから受け付け、表示部バックライト２０１は表示部２０３を照明し、入力部バックライト２０２は入力部２０４を照明する。
【０１５３】
記憶部１０２は、表示部時間帯情報、入力部時間帯情報、現在時刻、表示部基準照度、入力部基準照度、および、周囲の照度を記憶する。
【０１５４】
表示部制御部２１０は、表示部時間帯情報、現在時刻、表示部基準照度、および、周囲の照度、に基づいて、表示部バックライト２０１の点灯および消灯を制御し、入力部制御部２１１は、入力部時間帯情報、現在時刻、入力部基準照度、および、周囲の照度、に基づいて、入力部バックライト２０２の点灯および消灯を制御する。
【０１５５】
これにより、表示部バックライト２０１の点灯および消灯が、表示部時間帯情報、現在時刻、表示部基準照度、および、周囲の照度、に基づいて、制御され、入力部バックライト２０２の点灯および消灯が、入力部時間帯情報、現在時刻、入力部基準照度、および、周囲の照度、に基づいて制御される。よって、例えば、表示部と比較して、少ない照度で認識できる入力部を照明する入力部バックライトを点灯せずに、表示部バックライトのみ点灯するなど、表示部バックライトおよび入力バックライトの点灯を個別に制御することが可能になる。したがって、バックライトの点灯による消費電力を低減することが可能である。
【０１５６】
以上説明した実施例において、図示した構成は単なる一例であって、本発明はその構成に限定されるものではない。
【図面の簡単な説明】
【０１５７】
【図１】本実施例の携帯電話機の構成を示したブロック図である。
【図２】本実施例の、表示部バックライトと入力部バックライトとを個別に備えた場合の携帯電話機の構成を示したブロック図である。
【図３】本実施例のバックライトの制御動作を示したフローチャートである。
【図４】本実施例の表示部バックライトの制御動作を示したフローチャートである。
【図５】本実施例の入力部バックライトの制御動作を示したフローチャートである。
【図６】本実施例の照度指定情報の構成の一例を示した図である。
【符号の説明】
【０１５８】
１０１  制御部
１０２  記憶部
１０３  時計部
１０４  照度センサ
１０５  表示部
１０６  入力部
１０７  バックライト
１０８  メモリ
１１０  時間帯判定部
１１１  基準照度判定部
１１２  バックライト点灯部
１１３  自動消灯部
２０１  表示部バックライト
２０２  入力部バックライト
２０３  表示部
２０４  入力部
２１０  表示部制御部
２１１  入力部制御部
【図１】
2006229736.tif 000003
【図２】
2006229736.tif 000004
【図３】
2006229736.tif 000005
【図４】
2006229736.tif 000006
【図５】
2006229736.tif 000007
【図６】
2006229736.tif 000008